【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
一軸配向構造化表面物品であって、
（ａ）（ｉ）第１及び第２表面と、（ｉｉ）互いに直交する第１及び第２面内軸線並びに本体の厚さ方向の前記第１及び第２面内軸線に互いに直交する第３軸線とを有する複屈折体と、
（ｂ）前記本体の前記第１表面に配置され、前記本体の前記第１面内軸線と実質的に平行な方向の前記本体に配置される工学的幾何学的特徴を含む表面部分、
とを備え、前記物品の最も高い屈折率の配向が、特定の基準に基づき選択される物品。
【請求項２】
一軸配向構造化表面物品を作製する方法であって、
第１及び第２表面と、互いに直交する第１及び第２面内軸線並びに本体の厚さ方向の前記第１及び第２面内軸線に互いに直交する第３軸線とを有する複屈折体を提供する工程、ここで、前記本体の前記第１表面に配置され、前記本体の前記第１面内軸線と実質的に平行な方向の前記本体に配置される工学的幾何学的特徴を含む表面部分を有し、及び
物品の最も高い屈折率の配向を特定の基準に基づき選択する工程を含む、方法。
【請求項３】
一軸配向される複屈折輝度増強フィルムを備えてなる、バックライトを備える表示に使用される物品。
【手続補正２】
【補正対象書類名】明細書
【補正対象項目名】０１４４
【補正方法】変更
【補正の内容】
【０１４４】
本発明には、各種の変更および代替の形態が可能である。具体的な幾何学的特徴が、ただ例としてのみ図示される。本発明は、発明を記載した特定の実施形態に限定するものではない。むしろ添付の特許請求の範囲により規定されるように本発明の趣旨及び範囲内にあるすべての変形例、実施形態及び代替例をすべて網羅しようとするものである。
以下に、本発明に関連する発明の実施の形態について列挙する。
実施の形態１
バックライトを備える表示に使用される物品であって、
反射偏光子、及び
複屈折輝度増強フィルム、
の順にバックライトからビューアに向って配置されてなる物品。
実施の形態２
バックライトを備える表示に使用される物品であって、
反射偏光子、
複屈折輝度増強フィルム、及び
直交複屈折輝度増強フィルム、
の順にバックライトからビューアに向って配置されてなる物品。
実施の形態３
バックライトを備える表示に使用される物品であって、
反射偏光子、
非複屈折輝度増強フィルム、及び
直交複屈折輝度増強フィルム、
の順にバックライトからビューアに向って配置されてなる物品。
実施の形態４
バックライトを備える表示に使用される物品であって、
反射偏光子、
複屈折輝度増強フィルム、及び
直交非複屈折輝度増強フィルム、
の順にバックライトからビューアに向って配置されてなる物品。
実施の形態５
バックライトを備える表示に使用される物品であって、
複屈折輝度増強フィルム、及び
反射偏光子とを備える物品、
の順にバックライトからビューアに向って配置されてなる物品。
実施の形態６
バックライトを備える表示に使用される物品であって、
第１複屈折輝度増強フィルム、
第２複屈折輝度増強フィルム、及び
反射偏光子とを備える物品、
の順にバックライトからビューアに向って配置されてなる物品。
実施の形態７
バックライトを備える表示に使用される物品であって、
第１複屈折輝度増強フィルム、
反射偏光子、及び
第２複屈折輝度増強フィルム、
の順にバックライトからビューアに向って配置されてなる物品。
実施の形態８
バックライトを備える表示に使用される物品であって、
複屈折輝度増強フィルム、
非複屈折輝度増強フィルム、及び
反射偏光子、
の順にバックライトからビューアに向って配置されてなる物品。
実施の形態９
バックライトを備える表示に使用される物品であって、
複屈折輝度増強フィルム、
反射偏光子、及び
非複屈折輝度増強フィルム、
の順にバックライトからビューアに向って配置されてなる物品。
実施の形態１０
バックライトを備える表示に使用される物品であって、
非複屈折輝度増強フィルム、
複屈折輝度増強フィルム、及び
反射偏光子、
の順にバックライトからビューアに向って配置されてなる物品。
実施の形態１１
バックライトを備える表示に使用される物品であって、
非複屈折輝度増強フィルム、
反射偏光子、及び
複屈折輝度増強フィルム、
の順にバックライトからビューアに向って配置されてなる物品。
実施の形態１２
バックライトを備える表示に使用される物品であって、
複屈折拡散素子、及び
反射偏光子、
の順にバックライトからビューアに向って配置されてなる物品。
実施の形態１３
バックライトを備える表示に使用される物品であって、
第１複屈折拡散素子、
第２複屈折拡散素子、及び
反射偏光子、
の順にバックライトからビューアに向って配置されてなる物品。
実施の形態１４
バックライトを備える表示に使用される物品であって、
第１複屈折拡散素子、
第２複屈折拡散素子、
第３複屈折拡散素子、及び
反射偏光子、
の順にバックライトからビューアに向って配置されてなる物品。
実施の形態１５
バックライトを備える表示に使用される物品であって、
複屈折拡散素子、及び
反射偏光子、
の順にバックライトからビューアに向って配置されてなる物品。
実施の形態１６
バックライトを備える表示に使用される物品であって、
複屈折拡散素子、
非複屈折拡散素子、及び
反射偏光子、
の順にバックライトからビューアに向って配置されてなる物品。
実施の形態１７
バックライトを備える表示に使用される物品であって、
複屈折拡散素子、
第１非複屈折拡散素子、
第２非複屈折拡散素子、及び
反射偏光子、
の順にバックライトからビューアに向って配置されてなる物品。
実施の形態１８
バックライトを備える表示に使用される物品であって、
非複屈折拡散素子、
複屈折拡散素子、及び
反射偏光子、
の順にバックライトからビューアに向って配置されてなる物品。
実施の形態１９
バックライトを備える表示に使用される物品であって、
第１複屈折拡散素子、
第２複屈折拡散素子、
非複屈折拡散素子、及び
反射偏光子、
の順にバックライトからビューアに向って配置されてなる物品。
実施の形態２０
バックライトを備える表示に使用される物品であって、
第１非複屈折拡散素子、
複屈折拡散素子、
第２非複屈折拡散素子、及び
反射偏光子、
の順にバックライトからビューアに向って配置されてなる物品。
実施の形態２１
バックライトを備える表示に使用される物品であって、
非複屈折拡散素子、
第１複屈折拡散素子、
第２複屈折拡散素子、及び
反射偏光子、
の順にバックライトからビューアに向って配置されてなる物品。
実施の形態２２
バックライトを備え表示に使用される物品であって、
複屈折拡散素子、
反射偏光子、
第１非複屈折拡散素子、及び
第２非複屈折拡散素子、
の順にバックライトからビューアに向って配置されてなり、積み重ね体内の反射偏光子位置決めの全ての組合せを有する一連の複屈折拡散素子を備える物品。
実施の形態２３
バックライトを備える表示に使用される物品であって、
複屈折ターンフィルム、及び
反射偏光子、
の順にバックライトからビューアに向って配置されてなる物品。
実施の形態２４
バックライトを備える表示に使用される物品であって、
非複屈折ターンフィルム、及び
反射偏光子、
の順にバックライトからビューアに向って配置されてなる物品。
実施の形態２５
バックライトを備える表示に使用される物品であって、
反射偏光子、及び
複屈折ターンフィルム、
の順にバックライトからビューアに向って配置されてなる物品。
実施の形態２６
バックライトを備える表示に使用される物品であって、
反射偏光子、及び
非複屈折ターンフィルム、
の順にバックライトからビューアに向って配置されてなる物品。
実施の形態２７
バックライトを備える表示に使用される物品であって、
複屈折ターンフィルム、
反射偏光子、及び
拡散素子、
の順にバックライトからビューアに向って配置されてなる物品。
実施の形態２８
バックライトを備える表示に使用される物品であって、
非複屈折ターンフィルム、
反射偏光子、及び
拡散素子、
の順にバックライトからビューアに向って配置されてなる物品。
実施の形態２９
バックライトを備える表示に使用される物品であって、
反射偏光子、
複屈折ターンフィルム、及び
拡散素子、
の順にバックライトからビューアに向って配置されてなる物品。
実施の形態３０
バックライトを備える表示に使用される物品であって、
反射偏光子、
非複屈折ターンフィルム、及び
拡散素子、
の順にバックライトからビューアに向って配置されてなる物品。
実施の形態３１
バックライトを備える表示に使用される物品であって、
複屈折ターンフィルム、
拡散素子、及び
反射偏光子、
の順にバックライトからビューアに向って配置されてなる物品。
実施の形態３２
バックライトを備える表示に使用される物品であって、
非複屈折ターンフィルム、
拡散素子、及び
反射偏光子、
の順にバックライトからビューアに向って配置されてなる物品。
実施の形態３３
バックライトを備える表示に使用される物品であって、
反射偏光子、
拡散素子、及び
複屈折ターンフィルム、
の順にバックライトからビューアに向って配置されてなる物品。
実施の形態３４
バックライトを備える表示に使用される物品であって、
反射偏光子、
拡散素子、及び
非複屈折ターンフィルム、
の順にバックライトからビューアに向って配置されてなる物品。
実施の形態３５
専用コーティングを具備した反射偏光子を備えてなるバックライトを有する表示に使用される物品。
実施の形態３６
バックライトを備える表示に使用される物品であって、
反射偏光子、及び
前記反射偏光子の裏側に積層されたターンフィルム、
の順にバックライトからビューアに向って配置されてなる物品。
実施の形態３７
バックライトを備える表示に使用される物品であって、
反射偏光子、及び
少なくとも部分的に前記反射偏光子の裏側に積層された輝度増強フィルムとを備える物品、
の順にバックライトからビューアに向って配置されてなる物品。
実施の形態３８
バックライトを備える表示に使用される物品であって、
反射偏光子、及び
少なくとも部分的に前記反射偏光子の裏側に積層された拡散素子、
の順にバックライトからビューアに向って配置されてなる物品。
実施の形態３９
前記物品が、手持ち式、計装、モニタリング、コンピュータ、及びＴＶアプリケーションを含む表示並びに投写構成に使用される、実施の形態１〜３８のいずれか一項に記載の物品。
実施の形態４０
一軸配向構造化表面物品であって、
（ａ）（ｉ）第１及び第２表面と、（ｉｉ）互いに直交する第１及び第２面内軸線並びに本体の厚さ方向の前記第１及び第２面内軸線に互いに直交する第３軸線とを有する複屈折体と、
（ｂ）前記本体の前記第１表面に配置され、前記本体の前記第１面内軸線と実質的に平行な方向の前記本体に配置される工学的幾何学的特徴を含む表面部分、
とを備え、前記物品の最も高い屈折率の配向が、特定の基準に基づき選択される物品。
実施の形態４１
一軸配向構造化表面物品を作製する方法であって、
第１及び第２表面と、互いに直交する第１及び第２面内軸線並びに本体の厚さ方向の前記第１及び第２面内軸線に互いに直交する第３軸線とを有する複屈折体を備え、前記本体の前記第１表面に配置され、前記本体の前記第１面内軸線と実質的に平行な方向の前記本体に配置される工学的幾何学的特徴を含む表面部分を有し、及び
物品の最も高い屈折率の配向を特定の基準に基づき選択する方法。
実施の形態４２
一軸配向される複屈折輝度増強フィルムを備えてなる、バックライトを備える表示に使用される物品。
実施の形態４３
前記フィルムが、正の複屈折である、実施の形態４２に記載の物品。
実施の形態４４
前記フィルムが、負の複屈折である、実施の形態４２に記載の物品。
実施の形態４５
バックライトを備える表示に使用される物品であって、
複屈折構造化表面を有する多層光学フィルムと、
前記フィルムに隣接して位置付けされる偏光子、
とを備える物品。
実施の形態４６
前記物品が、輝度増強フィルムとして使用される、実施の形態４５に記載の物品。